(57)【要約】【課題】この考案は、晴雨兼用の草履を得ることを目的としたものである。【解決手段】この考案は、台紙にスポンジ板を層着し、その外側へ表シートを被着した表板と、コルク芯台の上面にコルク板を層着し、外側へ表シートを被着した台本体とを固定し、前記台本体の下面の、爪先側下面へ、滑り止めを付けたゴム板を層着すると共に、踵側下面へ滑り止め付きの踵板を固定して草履台とし、この草履台に鼻緒を取付けたことを特徴とする草履により目的を達成した。【選択図】図１
0003120939.tif 000002
【実用新案登録請求の範囲】
【請求項１】
台紙にスポンジ板を層着し、その外側へ表シートを被着した表板と、コルク芯台の上面にコルク板を層着し、外側へ表シートを被着した台本体とを固定し、前記台本体の下面の、爪先側下面へ、滑り止めを付けたゴム板を層着すると共に、踵側下面へ滑り止め付きの踵板を固定して草履台とし、この草履台に鼻緒を取付けたことを特徴とする草履。
【請求項２】
台紙にスポンジ板を層着し、その外側へ表シートを被着した表板と、直径５ｍｍ〜１０ｍｍの複数の縦孔を適宜穿設したコルク芯台の上面にコルク板を層着して、前記縦孔の上部を塞ぎ、外側へ表シートを被着した台本体とを固定し、前記台本体の下面の、爪先側下面へ、滑り止めを付けたゴム板を層着すると共に、踵側下面へ滑り止め付きの踵板を固定して草履台とし、この草履台に鼻緒を取付けたことを特徴とする草履。
【請求項３】
台紙にスポンジ板を層着し、その外側へ表シートを被着した表板と、直径５ｍｍ〜１０ｍｍの複数の縦孔を穿設したコルク芯台の上面にコルク板を層着して、前記縦孔の上部を塞ぎ、外側へ表シートを被着した台本体とを固定し、前記台本体の下面の、爪先側を除いて全下面にゴム板を層着し、爪先側下面へ、滑り止めを付けたゴム板を層着すると共に、該ゴム板の踵側へ滑り止め付きの踵板を固定して草履台とし、この草履台に鼻緒を取付けたことを特徴とする草履。
【請求項４】
台紙にスポンジ板を層着し、その外側へ表シートを被着した表板と、コルク芯台の上面にコルク板を層着し、外側へ表シートを被着した台本体とを固定し、前記台本体の下面周縁に表シートの端縁を折り込み、その内側へ、表シートと同一厚さの紙板を層着し、前記台本体の下面に、爪先側下面へ、滑り止めを付けたゴム板を層着すると共に、該ゴム板の踵側へ滑り止め付きの踵板を固定して草履台とし、前記草履台に鼻緒を取付けたことを特徴とする草履。
【請求項５】
鼻緒の指股側先端は、台本体に固定した金属線に固定して、該部をゴム板で塞ぎ、踵側は、相互の鼻緒を縛着して、該部をゴム板で塞いだことを特徴とする請求項１乃至４の何れか１つ記載の草履。
【考案の詳細な説明】
【技術分野】
【０００１】
この考案は、和服着用の際に履く草履であって、晴雨に拘らず同一草履を着用できるようにすることを目的とした晴雨兼用の草履に関する。
【背景技術】
【０００２】
従来台本体としてコルクを用いた草履であって、底面に皮革を層着した草履が一般的であったが、底面にゴム板、革、又はビニールを張った草履も知られていた。
【特許文献１】実開昭５０−１１７４８
【特許文献２】実開昭６２−４８２０２
【特許文献３】実開昭６２−３５５０１
【特許文献４】実公昭４５−８１９４
【考案の開示】
【考案が解決しようとする課題】
【０００３】
前記従来の草履においては、底面に皮革を層着するのが一般的であり、皮革に代えてゴム板を層着した草履もあるが（引用文献１、２、３）、その多くは雨天用を予想した草履であった。
【０００４】
またコルク台を用いた草履も知られているが（引用文献１）、台の重量を増す問題点があった。
【０００５】
次に台上に弾力性を持たせる為に、スポンジを層着した提案もあるが（引用文献１）、厚くすると（例えば３ｍｍ〜５ｍｍ）局部的に凹入して、耐用年限が短くなり、薄きに失すると弾力不足になる問題点があった。
【課題を解決するための手段】
【０００６】
この発明は、芯台をコルク台とすると共に、コルク台が厚い場合には複数の縦孔を設けて軽量化を図り、一般ゴム板と、滑り止め用ゴム板を区別して、耐摩性を合理的に保持し、かつスポンジ板（紙板に貼着）にして、変形防止と、適度の弾性を保有するなど、前記従来の問題点を解決したのである。
【０００７】
即ちこの考案は、台紙にスポンジ板を層着し、その外側へ表シートを被着した表板と、コルク芯台の上面にコルク板を層着し、外側へ表シートを被着した台本体とを固定し、前記台本体の下面の、爪先側下面へ、滑り止めを付けたゴム板を層着すると共に、踵側下面へ滑り止め付きの踵板を固定して草履台とし、この草履台に鼻緒を取付けたことを特徴とする草履であり、台紙にスポンジ板を層着し、その外側へ表シートを被着した表板と、直径５ｍｍ〜１０ｍｍの複数の縦孔を適宜穿設したコルク芯台の上面にコルク板を層着して、前記縦孔の上部を塞ぎ、外側へ表シートを被着した台本体とを固定し、前記台本体の下面の、爪先側下面へ、滑り止めを付けたゴム板を層着すると共に、踵側下面へ滑り止め付きの踵板を固定して草履台とし、この草履台に鼻緒を取付けたことを特徴とする草履である。
【０００８】
また他の考案は、台紙にスポンジ板を層着し、その外側へ表シートを被着した表板と、直径５ｍｍ〜１０ｍｍの複数の縦孔を穿設したコルク芯台の上面にコルク板を層着して、前記縦孔の上部を塞ぎ、外側へ表シートを被着した台本体とを固定し、前記台本体の下面の、爪先側を除いて全下面にゴム板を層着し、爪先側下面へ、滑り止めを付けたゴム板を層着すると共に、該ゴム板の踵側へ滑り止め付きの踵板を固定して草履台とし、この草履台に鼻緒を取付けたことを特徴とする草履であり、台紙にスポンジ板を層着し、その外側へ表シートを被着した表板と、コルク芯台の上面にコルク板を層着し、外側へ表シートを被着した台本体とを固定し、前記台本体の下面周縁に表シートの端縁を折り込み、その内側へ、表シートと同一厚さの紙板を層着し、前記台本体の下面に、爪先側下面へ、滑り止めを付けたゴム板を層着すると共に、該ゴム板の踵側へ滑り止め付きの踵板を固定して草履台とし、前記草履台に鼻緒を取付けたことを特徴とする草履であり、鼻緒の指股側先端は、台本体に固定した金属線に固定して、該部をゴム板で塞ぎ、踵側は、相互の鼻緒を縛着して、該部をゴム板で塞いだものである。
【０００９】
前記考案において、コルク台は、爪先側を薄くし、踵側を厚くして、草履の形態を備えると共に、表板、コルク台と、底板との三部分を緊密に一体化したものである。
【００１０】
前記表板には、紙板にスポンジを貼着してスポンジ板としたので局部的変形のない弾力性を付与し、コルク台は全体の形状を確定すると共に、草履の安定化を図り、底板は水密性と、滑り止め機能を付与したものである。
【００１１】
前記考案におけるスポンジ板は、厚さ２ｍｍ〜３ｍｍ程度であって、何れも紙板に層着すると共に、適度の弾力性の保持と局部的変形を防止したものである。
【００１２】
また表板と、芯台の外側は、エナメルを塗装した牛皮（表シート）を被着して統一し、前記エナメルは彩色、模様付けが自由であって、多種多様の意匠を再現することができる。また、牛皮の折り曲げによる高さの不均一は、紙板を貼着して適宜補正する。
【考案の効果】
【００１３】
この考案によれば、スポンジ板を紙板に層着したので、局部的に力が集中したとしても、該部が永久変形を生じるおそれがなく、均等かつ長期に亘り弾性を保持し得る効果がある。
【００１４】
またコルク台に複数の孔を穿設したので（コルク台が厚い場合）、芯台の軽量化（草履の軽量化）を図ることができる効果がある。
【００１５】
次に底面にゴム板を層着したので、吸水性を遮断して、晴雨兼用の草履を得ることができる。また鼻緒の指股側を、台に固定した金属線に止めた場合には、比較的狭い場所へ堅固に縛着できる効果があり、該部の孔をゴム板で塞いだので、水密を図ることができる。
【００１６】
前記ゴム板は耐摩耗性の材質を使用し、滑り止め処理したので、雨などで路面が濡れても滑るおそれがない効果がある。前記スポンジは、紙板へ層着固定してスポンジ板としたので、スポンジの変形、片寄りを未然に防止し、安定した弾力を発揮することができる。
【考案を実施するための最良の形態】
【００１７】
この考案は、紙板及び保形板にスポンジ板を層着し、その外側へ表面をエナメル処理した牛皮を被着した表板と、複数の孔を穿設したコルク芯台の外側に、エナメル処理した牛皮を被着した台本体とを固定して草履台とし、この草履台の下面の爪先側を除いてゴム板を層着固定し、前記爪先側底面へ、滑り止め処理したゴム板を層着し、前記踵側へ滑り止め付きの踵板を固定して草履本体を構成した。前記草履本体に鼻緒を装着して、この考案の草履を完成した。
【００１８】
前記鼻緒の指股側は、前記台本体の下面に固定した金属線に縛着固定し、該孔部をゴム板で塞ぎ、踵側は鼻緒の左右両端部を縛着固定し、ゴム板で塞いだ。
【実施例１】
【００１９】
この考案の実施例を図に基づいて説明すると、台紙１上にスポンジ板２を層着し、台紙１の下部へ紙板３と、保形板４を層着して、前記の外側へ、皮革の外側へエナメル５ｂを塗布した表シート５を被着し、表シート５の周縁を、前記保形板４の下側へ折り曲げて固定し、表板７を構成する。前記保形板４は、繊維硬化板であって変形抵抗の大きい材質であり、成形後変形しないような強度がある。
【００２０】
次に指先側を薄くし、踵側を厚くしたコルク台１０の外側へ、皮革の外側へエナメルを塗布した表シート９を被着し、その上部は、コルク台１０の周縁へ環状に折り曲げ９ａ、その内側へ、紙板１１、１１と、調整板１１ａとコルク板１２とを層着して固定し、芯台８ができる。
【００２１】
前記コルク台１０には、前後数個の貫通孔１３、１３を設けてあるが、前記紙板１１と、コルク板１２とで塞いである。図中１４、１５は鼻緒孔（鼻緒孔１５は斜に穿設する）である。
【００２２】
次にコルク台１０の下面へ、ゴム板１６を被着し、先端側へ、下面に滑り止め突条１７を施したゴム板１８を層着し、踵側へ、下面に滑り止め突条１９を施した踵２０を固定してある。
【００２３】
前記実施例において、鼻緒２１の指股側２１ａを、鼻緒孔１４へ挿通し、裏側に固定した金属線２３へ縛着固定する。また踵側２１ｂを、鼻緒孔１５で挿通し、下部で縛着すれば、この考案の草履２５ができる。
【図面の簡単な説明】
【００２４】
【図１】（ａ）この考案の実施例で用いる鼻緒の一部を省略した正面図、（ｂ）同じく表板の一部を破切し一部を省略した平面図、（ｃ）同じく裏面図、（ｄ）同じく一部断面拡大図、（ｅ）同じくスポンジ板の一部を破切した平面図、（ｆ）同じく一部拡大断面図。
【図２】（ａ）同じく芯台の一部を破切した平面図、（ｂ）同じく底面図、（ｃ）同じく一部断面拡大図、（ｄ）同じく底面図、（ｅ）同じく（ｄ）の正面図、（ｆ）同じくＡ−Ａ断面拡大図、（ｇ）同じくＢ−Ｂ断面図。
【図３】（ａ）同じく一部を破切した平面図、（ｂ）同じく一部断面拡大図。
【図４】（ａ）同じく完成草履の平面図、（ｂ）同じく正面図。
【符号の説明】
【００２５】
１、６  台紙
２  スポンジ板
３、１１  紙板
４  保形板
７  保形板
５、９  表シート
１０  コルク台
１２  コルク板
１３  貫通孔
１４、１５  鼻緒孔
１６、１８  ゴム板
１７、１９  突条
２０  踵
【図１】
0003120939.tif 000003
【図２】
0003120939.tif 000004
【図３】
0003120939.tif 000005
【図４】
0003120939.tif 000006